(57)【要約】【課題】光源ユニットが着脱するプロジェクタにおいて、光源の冷却能力の低下を抑制することができ、また小型化が容易であるプロジェクタを提供する。【解決手段】本発明のプロジェクタでは、筐体に対して着脱可能な光源ユニット１は、側面に開口部１４を設け、外面に沿って板状部材２１が移動することによって開口部１４を開閉する蓋部２を設けている。板状部材２１は、開口部１４を閉塞する位置に向けてスプリング２３によって付勢されている。光源ユニット１がプロジェクタの筐体に装着される場合には、板状部材２１に連動する突起部２２に筐体の当接部が当接し、板状部材２１が移動して開口部１４が開放され、光源ユニット１内に冷却用の風が流入して冷却される。板状部材２１は光学ユニット１の外面に沿って移動するので、開口部１４が開放された状態であっても、蓋部２が余分なスペースを占有しない。【選択図】図２
2008040333.tif 000002
【特許請求の範囲】
【請求項１】
筐体と、ランプを内蔵し、前記筐体に着脱可能に構成された光源ユニットと、冷却用の送風機とを備え、前記筐体に装着された前記光源ユニットからの光を用いて画像を投影するプロジェクタにおいて、
前記光源ユニットは、
前記送風機からの風を取り入れる開口部と、
当該光源ユニットが前記筐体から離脱した場合に前記開口部を閉塞し、当該光源ユニットが前記筐体に装着された場合に前記開口部を開放する蓋部と
を有し、
前記蓋部は、
前記光源ユニットの大きさからはみ出さない範囲で前記光源ユニットの外面に沿って移動可能な板状部材を有し、
該板状部材の移動によって前記開口部の開閉を行うように構成してあること
を特徴とするプロジェクタ。
【請求項２】
前記光源ユニットは、前記筐体に挿入して装着される構成となっており、
前記蓋部は、
前記開口部が閉塞される位置に向けて前記板状部材を付勢する付勢手段と、
前記光源ユニットの外面に沿って移動可能であり、移動に前記板状部材が連動する突起部と
を有し、
前記筐体は、前記光源ユニットが挿入される場合に前記突起部に当接して前記突起部を移動させる当接部を有し、
前記蓋部は、前記当接部の当接によって移動する前記突起部に連動して前記開口部が前記付勢手段に逆らって移動するように構成してあること
を特徴とする請求項１に記載のプロジェクタ。
【請求項３】
前記板状部材及び前記突起部は一体に形成されてあり、
前記付勢手段は、前記光源ユニットが前記筐体に挿入する向きに前記板状部材を付勢してあり、
前記蓋部は、前記当接部の当接によって前記突起部が前記向きとは逆の向きに移動するように構成してあること
を特徴とする請求項２に記載のプロジェクタ。
【請求項４】
前記蓋部は、
前記当接部が前記突起部に当接するための隙間を残して前記突起部を覆うカバーを更に有すること
を特徴とする請求項２又は３に記載のプロジェクタ。
【発明の詳細な説明】
【技術分野】
【０００１】
本発明は、高輝度の光を利用して画像を投射するプロジェクタに関し、より詳しくは、防爆機能を備えながら効率良く光源を冷却することができるプロジェクタに関する。
【背景技術】
【０００２】
プレゼンテーション又は映像の映写の分野では、画像を形成した液晶パネル又はＤＭＤ（Digital Micromirror Device）等の画像デバイスを光で照明し、画像デバイスで反射又は画像デバイスを透過した光をスクリーン又は壁等に投射することによって、画像を投影するプロジェクタが用いられている。通常のプロジェクタでは、放電ランプ等の光源から発光される光を集光し、集光した光を用いて画像を投影する。またプロジェクタには、外部のスクリーン又は壁等に対して前面から画像を投影するフロントプロジェクション型のプロジェクタとは別に、画像投影用のスクリーンを備え、スクリーンの背面から画像を投影するリアプロジェクション型のプロジェクタも利用されている。
【０００３】
プロジェクタの光源は、他の部品よりも寿命が短く、性能が劣化した場合には交換する必要があるので、交換が容易なようにプロジェクタの本体に対して着脱可能なユニット状に構成されているのが通常である。使用中の光源は発熱が大きく、光源の冷却を効率良く行う必要がある。特に、光源として放電ランプを用いた場合は、高輝度の光が得られるので明るい画像を投影することが可能になる反面、発熱量が大きく、また発光管が破裂する危険性があるので、効率の良い冷却及び防爆のための構成が必要となる。
【０００４】
従来、冷却用の送風機を備え、光源を収納した光源ユニットに送風機からの冷却用の風が流入するための開口部を設けたプロジェクタが利用されている。プロジェクタ本体に装着された光源ユニット内には、開口部から冷却用の風が流入し、光源ユニットが冷却される。光源ユニットの開口部には、発光管が破裂した場合に破片が光源ユニット外へ飛散しないように、金属製の防爆用メッシュが設けられている。また特許文献１には、光源ランプをケース内に収納し、ケースには冷却用の風が流入するための複数の小孔を設けた構成が開示されている。この場合も、小孔を通過してケース内に冷却用の風が流入し、光源ランプが冷却される。
【０００５】
また特許文献２には、光源ユニットに開閉可能な開口部を備えた技術が開示されている。図６は、特許文献２に開示された技術の要部を示す模式的断面図である。光源ユニット７がプロジェクタの筐体８に対して図中の白矢印で示す方向に挿入されて装着される構成となっている。図６（ａ）は、光源ユニット７が筐体８に挿入される途中の状態を示し、図６（ｂ）は光源ユニット７が筐体８に装着された状態を示している。光源ユニット７は、開口部を有するダクト７１を備え、ダクト７１の開口部は蓋部７２で閉塞されている。蓋部７２は、断面が略Ｌ字形状に形成されており、ダクト７１の外面に設けた開閉軸にＬ字の一端を連結させており、開閉軸を中心に回動して開閉運動を行う。蓋部７２は、バネ等で付勢されることにより、光源ユニット７が筐体８から離脱している状態では常にダクト７１の開口部を閉塞している。従って、発光管が破裂した破片が光源ユニット７外へ飛散することが防止される。
【０００６】
光源ユニット７を筐体８に挿入する方向とは逆の方向に蓋部７２を押すことで、ダクト７１の外面に設けられた開閉軸を中心に蓋部７２が回動し、開口部が開放される。筐体８は、送風機からの冷却用の風が流れる冷却風ダクト８１を備えている。冷却風ダクト８１は、光源ユニット７が筐体８に装着された場合にダクト７１と継合する位置に設けられている。図６に示す如く光源ユニット７を筐体８に挿入した場合には、蓋部７２は冷却風ダクト８１に押されて開くことになる。図６（ｂ）に示す如く、光源ユニット７が筐体８に装着された状態では、開口部が開放されたダクト７１と冷却風ダクト８１とが継合しており、冷却風ダクト８１を通ってきた冷却用の風がダクト７１を通って光源ユニット７内に流入し、光源ユニット７が冷却される。図中には冷却用の風の流れを実線矢印で示す。
【特許文献１】特開平９−１８５１２４号公報
【特許文献２】特開２００１−１８３７４６号公報
【発明の開示】
【発明が解決しようとする課題】
【０００７】
光源ユニットの開口部に防爆用メッシュを設ける従来の技術、及び光源ランプのケースに複数の小孔を設ける特許文献１の技術では、冷却用の風が流入する部分の防爆用メッシュ又は複数の小孔がホコリ等で目詰まりを起こす虞がある。一方で、プロジェクタは、展示会場、遊技店又は店舗等のホコリ又はタバコの煙等が多い劣悪な環境で使用されることがある。このような劣悪な環境で使用されるプロジェクタでは、ホコリ又はタバコのヤニ等で目詰まりが起こり、冷却用の風が流入しにくくなって光源の冷却が不十分となり、故障又は寿命の低下等が発生する。特に、天井に取り付けられたプロジェクタは、ホコリ又はタバコのヤニ等が蓄積し易く、またメンテナンスを頻繁に行うこともできないので、故障又は寿命の低下等が発生し易い。また特許文献２の技術では、ダクト７１の開口部が目詰まりを起こすことはないものの、冷却風ダクト８１に押されて蓋部７２が外側に開くことによって蓋部７２がスペースを占有するので、プロジェクタの小型化に限界があるという問題がある。
【０００８】
本発明は、斯かる事情に鑑みてなされたものであって、その目的とするところは、光源ユニットが筐体から離脱した場合に開口部を閉塞し、光源ユニットがプロジェクタの筐体に装着された場合に開口部を開放する構成とすることにより、防爆機能を保ちながら、光源ユニットの開口部の目詰まりによって冷却能力が低下することを抑制することができるプロジェクタを提供することにある。
【０００９】
また本発明の他の目的とするところは、光源ユニットの開口部を開閉する機構をスペースを占有しない構造とすることにより、小型化が容易であるプロジェクタを提供することにある。
【００１０】
更に本発明の他の目的とするところは、閉塞された開口部を手動で開放しにくい構造とすることにより、防爆機能を向上できるプロジェクタを提供することにある。
【課題を解決するための手段】
【００１１】
本発明に係るプロジェクタは、筐体と、ランプを内蔵し、前記筐体に着脱可能に構成された光源ユニットと、冷却用の送風機とを備え、前記筐体に装着された前記光源ユニットからの光を用いて画像を投影するプロジェクタにおいて、前記光源ユニットは、前記送風機からの風を取り入れる開口部と、当該光源ユニットが前記筐体から離脱した場合に前記開口部を閉塞し、当該光源ユニットが前記筐体に装着された場合に前記開口部を開放する蓋部とを有し、前記蓋部は、前記光源ユニットの大きさからはみ出さない範囲で前記光源ユニットの外面に沿って移動可能な板状部材を有し、該板状部材の移動によって前記開口部の開閉を行うように構成してあることを特徴とする。
【００１２】
本発明においては、筐体に対して着脱可能な光源ユニットを利用して画像を投影するプロジェクタでは、光源ユニットが筐体から離脱した状態では光源ユニットに設けた開口部を閉塞し、光源ユニットが筐体に装着された状態では開口部を開放する蓋部を設けてある。蓋部は、光源ユニットの外面に沿って板状部材が移動することによって開口部を開閉するので、光源ユニットが筐体に装着されて開口部が開放された状態であっても、蓋部が余分なスペースを占有することがない。
【００１３】
本発明に係るプロジェクタは、前記光源ユニットは、前記筐体に挿入して装着される構成となっており、前記蓋部は、前記開口部が閉塞される位置に向けて前記板状部材を付勢する付勢手段と、前記光源ユニットの外面に沿って移動可能であり、移動に前記板状部材が連動する突起部とを有し、前記筐体は、前記光源ユニットが挿入される場合に前記突起部に当接して前記突起部を移動させる当接部を有し、前記蓋部は、前記当接部の当接によって移動する前記突起部に連動して前記開口部が前記付勢手段に逆らって移動するように構成してあることを特徴とする。
【００１４】
また本発明においては、板状部材は付勢手段によって開口部を閉塞する位置に向けて付勢されてあることにより、光源ユニットが筐体から離脱している状態では開口部が常に閉塞している。また、光源ユニットが筐体に挿入される場合には、突起部が筐体の当接部に当接して移動し、突起部の移動に連動する板状部材が付勢手段に逆らって移動することにより、光源ユニットが筐体に装着されている状態では開口部が開放される。
【００１５】
本発明に係るプロジェクタは、前記板状部材及び前記突起部は一体に形成されてあり、前記付勢手段は、前記光源ユニットが前記筐体に挿入する向きに前記板状部材を付勢してあり、前記蓋部は、前記当接部の当接によって前記突起部が前記向きとは逆の向きに移動するように構成してあることを特徴とする。
【００１６】
また本発明においては、板状部材が付勢手段によって付勢される向きは、光源ユニットが筐体に対して挿入される向きであり、当接部に当接した突起部に連動して板状部材が移動する向きは、光源ユニットが筐体に対して挿入される向きとは逆向きとなっているので、板状部材は、光源ユニットが筐体に対して挿入される方向に略平行に移動する。
【００１７】
本発明に係るプロジェクタは、前記蓋部は、前記当接部が前記突起部に当接するための隙間を残して前記突起部を覆うカバーを更に有することを特徴とする。
【００１８】
更に本発明においては、蓋部は、筐体の当接部が突起部に当接するための隙間を残して突起部を覆うカバーを備えることにより、光源ユニットが筐体から離脱している状態で突起部を使用者が手で触れることができない。
【発明の効果】
【００１９】
本発明にあっては、光源ユニットに設けた開口部を光源ユニットの筐体に対する着脱に応じて開閉する蓋部は、光源ユニットが筐体に装着されて開口部が開放された状態であっても、蓋部が余分なスペースを占有することがないので、プロジェクタは、開口部を開閉する開閉機構が余分なスペースを占有していた従来の技術に比べて小型化が容易となる。
【００２０】
また本発明にあっては、光源ユニットが筐体から離脱している状態では、開口部が常に閉塞しているので、プロジェクタは防爆機能を有し、光源ユニットが筐体に装着されている状態では、開口部が開放されているので、送風機からの冷却用の風が光源ユニット内に流入して光源ユニットが冷却される。開口部には防爆用メッシュを設けてはいないので、ホコリ又はタバコのヤニ等でふさがれることはなく、プロジェクタは光源ユニットを冷却する能力の低下を抑制することができる。
【００２１】
また本発明にあっては、光源ユニットが筐体に対して挿入される方向に略平行に板状部材が移動するので、板状部材には無駄な動きがなく、光源ユニットの着脱に応じてスムーズに開口部の開閉を行うことができる。
【００２２】
更に本発明にあっては、光源ユニットが筐体から離脱している状態で突起部を使用者が手で触れることができないので、手動で光源ユニットの開口部が開放されにくくなり、光源ユニットが筐体から離脱している状態でのプロジェクタの防爆機能がより向上する等、本発明は優れた効果を奏する。
【発明を実施するための最良の形態】
【００２３】
以下本発明をその実施の形態を示す図面に基づき具体的に説明する。
図１は、本発明のプロジェクタの内部構成を模式的に示す構成図である。図１では、画像を生成する画像デバイスとして３枚の液晶パネルを用いた例を示している。プロジェクタは、液晶パネルを含む各種の光学部品を収納した筐体４と、筐体４に対して着脱可能に構成されている光源ユニット１と、冷却用の送風機３と、光を外部へ投射する投射レンズ６とを備えている。図１では、プロジェクタが備える電源、制御基板及び排気ファン等のその他の構成は図示せずに省略している。
【００２４】
光源ユニット１は、白色光を発光する放電ランプを用いた光源ランプ１１と、光源ランプ１１が発光する光を前面へ投射するリフレクタ１２と、前面防爆ガラス１３とを有して構成されている。また光源ユニット１の側面には、送風機３からの冷却用の風が流入するための開口部１４が形成されており、開口部１４の反対側の側面には、光源ユニット１内の空気を排出させるための排出口１５が形成されている。開口部１４に相対する筐体４の部分には、開口部４１が形成されており、開口部４１にはダクトで送風機３が連結されている。送風機３が送風する冷却用の風は、ダクトを通り、筐体４の開口部４１及び光源ユニット１の開口部１４を通って光源ユニット１内に流入する。図１中には送風機３からの風の流れを破線矢印で示している。また排出口１５に相対する筐体４の部分には、排出口４２が形成されている。排出口１５及び排出口４２には、防爆用メッシュが設けられている。
【００２５】
レンズ、ミラー、偏光板、液晶パネル及びプリズム等の各種の光学部品は筐体４内に収納されており、光源ランプ１１からの光が筐体４内の光学部品へ入射されるように、筐体４と光源ユニット１が構成されている。図１中には、光源ランプ１１が発光してから投射レンズ６で外部へ投射されるまでの光の軌跡を矢印で示している。プロジェクタは、筐体４内に、所定の波長の光を反射して他の波長の光を透過させる色分離ミラー５１，５２を備える。光源ユニット１から入射されてレンズ及び偏光板等を通過した白色光は、色分離ミラー５１，５２によって赤、緑及び青の３色の光に分離される。
【００２６】
またプロジェクタは、赤、緑及び青の夫々の色用の画像を形成する液晶パネル５３，５４，５５と、液晶パネル５３，５４，５５の夫々を透過した光を合成する色合成プリズム５６とを備えている。赤、緑及び青の３色に分離された光は、各色用の画像を生成した液晶パネル５３，５４，５５を透過することによって、光強度の分布で各色用の画像を表すように光強度が空間的に変調される。色合成プリズム５６は、夫々に各色用の画像を表す３色の光を合成し、投射レンズ６は、３色が合成された光を外部のスクリーン又は壁等へ投射する。このようにして、本発明のプロジェクタはカラー画像を投影する。
【００２７】
図２は、光源ユニット１の模式的分解斜視図である。光源ユニット１のユニットフレーム１６は、前部パーツ１６ａと後部パーツ１６ｂとで構成されている。ユニットフレーム１６の後部パーツ１６ｂは、前方に当たる一面が開口面となった直方体殻状に形成されている。光源ランプ１１及びリフレクタ１２が光の出射方向を前方にして後部パーツ１６ｂ内に収納され、光源ランプ１１の光軸に直交する略環状の前部パーツ１６ａが後部パーツ１６ｂの開口面に接合され、前方の端の開口面に前面防爆ガラス１３が嵌合して、略直方体形状の光源ユニット１が構成される。光源ユニット１の側面には、開口部１４と排出口１５とが形成されている。光源ユニット１は、筐体４に対して挿入して装着される構成になっており、前方が光源ユニット１の筐体４に対する挿入方向となっている。
【００２８】
更に、ユニットフレーム１６の開口部１４が形成されている面と同一の外面には、開口部１４を開閉するための蓋部２が備えられている。蓋部２は、光源ユニット１の開口部１４が形成されている側面に略平行な平板状の板状部材２１を備え、板状部材２１には、板状部材２１の面に略直交する突起部２２が突設されている。更に蓋部２は、板状部材２１を付勢するスプリング（付勢手段）２３と、板状部材２１及びスプリング２３を押さえつけてユニットフレーム１６の外面に装着させるホルダ２４とを備えている。
【００２９】
板状部材２１は、開口部１４を閉塞させるために十分な面積を有している。ホルダ２４は、一側面が開口面となった四角筒状に形成されており、長手方向に沿って溝孔が形成されている。ホルダ２４は、開口面をユニットフレーム１６の外側面に向け、長手方向を光源ユニット１の筐体４への挿入方向と略平行にしてユニットフレーム１６の外側面に固定されている。ユニットフレーム１６の外側面とホルダ２４との間に板状部材２１の一部を挟むことによって、ホルダ２４は板状部材２１をユニットフレーム１６の外面に装着させている。ユニットフレーム１６の外側面とホルダ２４との間で挟まれる板状部材２１の部分は、突起部２２が突設された部分であり、突起部２２はホルダ２４の溝孔を通ってホルダ２４の背面側へ突出する。スプリング２３は、ホルダ２４内に収納され、一端がホルダ２４に固定され、他端が板状部材２１に連結される。
【００３０】
図３は、光源ユニット１を示す模式的斜視図である。蓋部２は、開口部１４が形成されている側のユニットフレーム１６の外側面上で、開口部１４よりも後方に設けられている。ホルダ２４は、突起部２２が溝孔に沿って摺動し、突起部２２を突設してある板状部材２１が突起部２２の摺動に連動してユニットフレーム１６の外側面にそって移動することが可能なように構成されている。ホルダ２４は長手方向を光源ユニット１の筐体４に対する挿入方向と略平行にしてあるので、板状部材２１は光源ユニット１の外面に沿って前方又は後方へ移動可能である。ホルダ２４は、突起部２２が溝孔に沿って摺動できる範囲のみに突起部２２の移動範囲を制限しており、突起部２２が設けられた板状部材２１が最前方又は最後方へ移動した場合でも、光源ユニット１の前方又は後方へ光源ユニット１の大きさからはみ出さない範囲内に収まるように、板状部材２１の移動範囲を制限している。ホルダ２４内に収納されたスプリング２３は、前方側に位置する一端がホルダ２４内で前方寄りの部分に固定され、後方側に位置する他端が板状部材２１の後方寄りの部分に連結されており、板状部材２１を前方へ付勢するように機能する。板状部材２１は、スプリング２３に付勢されることによって前方へ移動し、移動した先の位置で開口部１４を閉塞するように配置されている。
【００３１】
図３（ａ）は、板状部材２１が開口部１４を閉塞している状態の光源ユニット１を示している。板状部材２１は、開口部１４を閉塞する位置へ向けてスプリング２３によって常に付勢されている。従って、光源ユニット１が筐体４から離脱した状態では、開口部１４は常に閉塞されており、光源ランプ１１が破裂した場合でも破片が光源ユニット１外へ飛散することはなく、光源ユニット１は防爆機能を有している。図３（ｂ）は、板状部材２１が開口部１４を開放した状態の光源ユニット１を示している。スプリング２３による付勢力に逆らって突起部２２を後方へ移動させると、突起部２２に連動する板状部材２１がユニットフレーム１６の外側面に沿って後方へ移動し、開口部１４は開放される。
【００３２】
図４は、光源ユニット１を筐体４に装着する様子を示す模式的斜視図である。図４（ａ）は、光源ユニット１が筐体４に装着される前の光源ユニット１及び筐体４を示し、図４（ｂ）は、光源ユニット１が筐体４に装着された状態を示す。図中には、筐体４の一部を示す。光源ユニット１が筐体４に装着される前では、図４（ａ）に示す如く、板状部材２１によって開口部１４は閉塞されている。筐体４において、挿入される光源ユニット１が備える突起部２２に対向する位置には、光源ユニット１の挿入時に突起部２２に当接する当接部４３が設けられている。当接部４３は、筐体４の側面を加工した突設部又は切り込み等で構成され、筐体４とは一体に形成されている。また当接部４３は、光源ユニット１が筐体４に装着された段階では、開口部１４が完全に開放されるような位置に設けられている。即ち、光源ユニット１を筐体４に対して挿入するに従って、当接部４３に当接した突起部２２が光源ユニット１に対して後方へ移動し、突起部２２に連動して板状部材２１がスプリング２３の付勢力に逆らってユニットフレーム１６の外側面に沿って後方へ移動し、光源ユニット１が筐体４に装着された段階では開口部１４が完全に開放される。
【００３３】
従って、光源ユニット１が筐体４に装着された状態では、開口部１４は常に開放されている。筐体４に装着された光源ユニット１の開口部１４正面には、筐体４の開口部４１が位置しており、筐体４の開口部４１及び光源ユニット１の開口部１４を通って送風機３からの冷却用の風が光源ユニット１内に流入する。プロジェクタの使用時には、筐体４に装着された光源ユニット１内に常に冷却用の風が流入し、効果的に冷却が行われる。開口部１４には防爆用メッシュを設けてはいないので、ホコリ又はタバコのヤニ等でふさがれることはなく、本発明のプロジェクタは光源ユニット１を冷却する能力の低下を抑制することができる。
【００３４】
以上詳述した如く、本発明においては、板状部材２１が光源ユニット１の外面に沿って移動することによって光源ユニット１の開口部１４を開閉するので、光源ユニット１が筐体４に装着されて開口部１４が開放された状態であっても、板状部材２１が余分なスペースを占有することがない。従って、本発明のプロジェクタは、光源ユニットの開口部を開閉する開閉機構が余分なスペースを占有していた従来の技術に比べて、小型化が容易となる。また本発明においては、板状部材２１は、スプリング２３によって開口部１４を閉塞する位置に向けて付勢されているので、光源ユニット１が筐体４から離脱している状態では開口部１４が常に閉塞しており、プロジェクタは防爆機能を有する。また、光源ユニット１が筐体４に挿入される場合に筐体４の当接部４３に突起部２２が当接して移動し、板状部材２１は突起部２２に連動してスプリング２３に逆らって移動するので、光源ユニット１が筐体４に装着されている状態では開口部１４が開放される。また本発明においては、板状部材２１がスプリング２３によって付勢される向きは、光源ユニット１が筐体４に対して挿入される向きであり、当接部４３に当接した突起部２２に連動する板状部材２１は、光源ユニット１が筐体４に対して挿入される向きとは逆向きに移動する。光源ユニット１が筐体４に対して挿入される方向に平行に板状部材２１が移動するので、板状部材２１には無駄な動きがなく、光源ユニット１の着脱に応じてスムーズに開口部１４の開閉を行うことができる。
【００３５】
以上の実施の形態に示したプロジェクタは、突起部２２がむき出しの構成となっている。本発明のプロジェクタは、蓋部２に突起部２２を覆うカバーを備えた形態であってもよい。図５は、蓋部２に突起部２２を覆うカバーを備えたプロジェクタの形態を示す模式的斜視図である。光源ユニット１は、突起部２２を背面から突出させたホルダ２４を覆うカバー２５を備えている。ホルダ２４がカバー２５によって覆われているので、ホルダ２４の背面から突出した突起部２２は目視できず、使用者が手で触れることもできない。筐体４の当接部４３は、光源ユニット１が筐体４に対して挿入される向きとは逆向きに突出した細長の形状に形成されている。ホルダ２４とカバー２５との間には、当接部４３が挿入できる隙間が形成されており、光源ユニット１が筐体４に装着された状態では、ホルダ２４とカバー２５との間に当接部４３が挿入して突起部２２に当接し、板状部材２１が移動して開口部１４が開放される。突起部２２を使用者が手で触れることができないので、光源ユニット１が筐体４から離脱している状態では手動で開口部１４が開放されにくくなる。従って、光源ユニット１が筐体４から離脱している状態での防爆機能がより向上する。
【００３６】
なお、本実施の形態においては、光の出射方向を挿入方向として光源ユニット１が筐体４に対して挿入される形態を示したが、これに限るものではなく、本発明のプロジェクタは、光の出射方向に直交する方向等、その他の方向を挿入方向とした形態であってもよい。この形態の場合は、蓋部２は、挿入方向に応じた方向に板状部材２１が移動できるように構成される。また本実施の形態においては、光源ユニット１が筐体４に対して挿入される方向と略平行に板状部材２１及び突起部２２が移動する形態を示したが、本発明のプロジェクタの構成はこれに限るものではない。例えば、板状部材２１は光源ユニット１の側面に設けた支点の周りに回動可能な扇形の形状をなしており、板状部材２１に突設してある突起部２２が当接部４３に当接することにより弧を描いて移動し、突起部２２に連動した板状部材２１が回動して開口部１４が開放される形態であってもよい。
【００３７】
また本実施の形態においては、突起部２２は板状部材２１の面に略直交するように突設してある形態を示したが、これに限るものではなく、本発明のプロジェクタは、突起部２２が板状部材２１の面に平行に突設してある形態であってもよい。この形態の場合でも、筐体４の当接部４３の形状を突起部２２に当接できる形状に形成しておくことにより、本発明のプロジェクタを実現することが可能である。また本実施の形態においては、板状部材２１がスプリング２３によって付勢された形態を示したが、これに限るものではなく、本発明のプロジェクタは、板バネ等の付勢手段が板状部材２１に一体に形成された形態であってもよい。また本発明においては、板状部材２１に突起部２２が突設されることによって板状部材２１と突起部２２とが一体に形成されている形態を示したが、これに限るものではなく、本発明のプロジェクタは、板状部材２１と突起部２２とが連動する構成であれば、板状部材２１と突起部２２とが互いに分離した形態であってもよい。
【図面の簡単な説明】
【００３８】
【図１】本発明のプロジェクタの内部構成を模式的に示す構成図である。
【図２】光源ユニットの模式的分解斜視図である。
【図３】光源ユニットを示す模式的斜視図である。
【図４】光源ユニットを筐体に装着する様子を示す模式的斜視図である。
【図５】蓋部に突起部を覆うカバーを備えたプロジェクタの形態を示す模式的斜視図である。
【図６】特許文献２に開示された技術の要部を示す模式的断面図である。
【符号の説明】
【００３９】
１  光源ユニット
１１  光源ランプ
１２  リフレクタ
１３  前面防爆ガラス
１４  開口部
１５  排出口
１６  ユニットフレーム
２  蓋部
２１  板状部材
２２  突起部
２３  スプリング（付勢手段）
２４  ホルダ
２５  カバー
３  送風機
４  筐体
【図１】
2008040333.tif 000003
【図２】
2008040333.tif 000004
【図３】
2008040333.tif 000005
【図４】
2008040333.tif 000006
【図５】
2008040333.tif 000007
【図６】
2008040333.tif 000008